(57)【要約】【課題】本発明は家屋の軒先に積もった雪を効率的に取り除くことができる雪下ろし具を提供することにある。【解決手段】柄１と作用片２とを備え、作用片は細長い板状であって、開閉自在な連結部材３を介在して柄１の先部分に作用片２の長手側Ｎが柄の長手方向と交差するように取り付けてあり、前記連結部材３の開放時には前記作用片の短手側Ｍが起立し、該連結部材３の閉鎖時には作用片の短手側Ｍが柄１の基部側に倒伏し、柄１の先端側には作用片の短手側の前記起立状態が先部側に倒れないように規制するストッパー４を配設してあることを特徴とする。【選択図】図１
2019157610.tif 000002
【特許請求の範囲】
【請求項１】
柄と作用片とを備え、作用片は細長い板状であって、開閉自在な連結部材を介在して柄の先部分に作用片の長手側が柄の長手方向と交差するように取り付けてあり、前記連結部材の開放時には前記作用片の短手側が起立し、該連結部材の閉鎖時には作用片の短手側が柄の基部側に倒伏し、柄の先端側には作用片の短手側の前記起立状態が先部側に倒れないように規制するストッパーを配設してあることを特徴とする雪下ろし具。
【発明の詳細な説明】
【技術分野】
【０００１】
本発明は主に屋根の雪下ろしの際に、屋根の軒先に積もった雪を取り除く際に使用する雪下ろし具に関する。
【背景技術】
【０００２】
従来の雪下ろし具として図７に示すものがある。この従来の雪下ろし具は軒先に積もった雪の上から柄１１の先端に取り付けられている方形板状１２の先部を振り下ろし、衝撃を与えて雪を下に落下させるものである。
【発明の概要】
【発明が解決しようとする課題】
【０００３】
しかしながら、前記の従来使用されていた雪下ろし具での作業は体力を使う上、軒先に積もった雪を必ずしも効率的に取り除くことできないという問題点があった。
【０００４】
本発明は、上記事情に鑑み、軒先に積もった雪を容易に且つ効率的に取り除くことがで
き、体力をさほど使うことなく簡便に雪下ろし作業ができる雪下ろし具を提供することを目的とする。
【課題を解決するための手段】
【０００５】
上記目的を達成するために本発明に係る請求項１記載の発明は、柄と作用片とを備え、作用片は細長い板状であって、開閉自在な連結部材を介在して柄の先部分に作用片の長手側が柄の長手方向と交差するように取り付けてあり、前記連結部材の開放時には前記作用片の短手側が起立し、該連結部材の閉鎖時には作用片の短手側が柄の基部側に倒伏し、柄の先端側には作用片の短手側が起立した際に先部側に倒れないように規制するストッパーを配設してあることを特徴とする。ここで、開閉自在な連結部材とは、連結された作用片の短手側が起立又は倒伏する役割を果たす機構をすべて含む概念である。
【発明の効果】
【０００６】
本発明によれば、軒先の斜め前方位置から作用片を使って軒先からはみ出している雪庇を軒先に沿って移動しながら切断することで雪庇を地上に落下させることができ、さらに雪庇の落下した後の軒先の雪は作用片を使って軒先沿う横方向に対して縦方向に略作用片の長手側の長さの間隔をあけて切目を入れた後、隣り合う切目間に軒先の積もっている雪の下側に、長手側を正面に向けて作用片を深く差し入れ、その後、柄を手前に引き寄せると雪の抵抗を受けて作用片の短手側が起立するため、起立する作用片によって切目間にある軒先の雪がまとめてスムーズに地上に落下するので、大きな力を要することもなく軒先の雪庇を含む大量の雪を効率的の取り除くことができる。したがって、力の弱い女性や高齢者でも地上から安全且つ容易に軒先の雪下ろしをすることができる。
【図面の簡単な説明】
【０００７】
【図１】本雪下ろし具の実施形態例を示すものであり、（イ）は作用片が倒伏した状態の斜視図であり、（ロ）は作用片が起立した状態の斜視図である。
【図２】本雪下ろし具の使用状態例を示す説明図であり、（イ）は雪庇を落とす場合の説明図、（ロ）は軒先の積もった雪に切目を入れる説明図、（ハ）は切目間にある雪に作用片を差し入れて落下させる際の説明図である。
【図３】本雪下ろし具の使用状態例を示す説明図であり、（イ）は自動車も屋根に積もった雪に作用片を差し入れる際の説明図であり、（ロ）は差し入れた作用片が雪に埋没する際の説明図であり、（ハ）は柄を手前に引いて雪を落下させる際の説明図である。
【図４】本雪下ろし具の使用状態例を示す説明図であり、（イ）は信号機の前面に垂れ下がった雪庇を落とす際の説明図であり、（ロ）は信号機に積もった雪に作用片を引っ掛ける際の説明図であり、（ハ）は柄を下に引いて雪を落下させる際の説明図である。
【図５】本雪下ろし具の使用状態例を示す説明図であり、（イ）は庭木に積もった雪に作用片を差し入れる際の説明図であり、（ロ）は差し入れた作用片が雪に埋没する際の説明図であり、（ハ）は柄を手前に引いて雪を落下させる際の説明図である。
【図６】本雪下ろし具の変形例を示す斜視図である。
【図７】従来例を示す説明図である。
【発明を実施するための形態】
【０００８】
以下、図面に基づいて本雪下ろし具を説明する。
図１（イ）（ロ）は軒先に積もった雪に実施形態例を示すもので、１は角パイプ状のアルミ製の柄、２は細長い板状のステンレス製の作用片であり、該作用片２は柄１の先部分に蝶番３を介在して柄１の長手方向に対して作用片の長辺Ｎと略直交するように取り付けられている。
【０００９】
蝶番３は一方の羽部３Ａは柄１の角パイプ面にネジ止めされ、他方の羽部３Ｂは作用片２の板面の長手方向の中間部分にネジ止めされおり、作用片２が該蝶番３の開閉によって柄１に対して作用片２の短辺Ｍ側が起立又は倒伏するように構成されている。
また、柄１の先端側には直立した短辺Ｍ側の作用片２が柄１の先部側にそれ以上倒れないようするためのストッパー４が取り付けてある。
【００１０】
板状の作用片２は細長い長方形で、そのサイズは、長辺Ｎが３０〜５０cm、短辺Ｍは２cm前後が望ましく、材質はステンレス製以外の金属、プラスチック製又は木製であっても良い。
柄１は下から軒先の除雪作業ができる程度の長さ４〜６メートル程度が望ましく、保管や持ち運びの利便性を考えて伸縮自在な構造にしておくことが望ましい。また、柄１の長さについては、前記の長さに限定されず、屋根の高さに応じて自由に調節できるようにしておけば便利である。さらに、材質的についても限定しないが、重量的に軽く強靭なものが望ましい。又、角パイプ以外の形状であっても良い。
【００１１】
実施形態例では柄１と作用片２の連結部材として蝶番３を使用したが、柄１と作用片２を連結し、且つ作用片２の短辺Ｍ側を起伏できるものであれば蝶番以外の構造であっても良い。また、柄１及び作用片２と蝶番３との結合はネジ止めに限定されず、溶接やその他の結合手段であっても良い。
尚、作用片２の形状は長方形に限定されるものではなく、細長い板状であれば良い。
【００１２】
次に、上記の雪下ろし具を使っての屋根の軒先に積もった雪の除雪について図２（イ）（ロ）（ハ）に基づき説明する。
まず、図２（イ）は軒先からはみ出した雪庇を除去する際の概略説明図である。すなわち、地上から柄１の長さを利用して作用片２が軒先に沿って斜め前方に位置するようにして軒先からはみ出している雪庇を縦に立てた作用片２で切断しながら軒先に沿って移動すれば、切断された雪庇は軒先から地上に落下し、且つ除雪者の上にその雪が落下することもない。
【００１３】
次いで、雪庇が取り除かれた軒先に積もっている雪は、軒先に沿う横方向に対して縦方向に略作用片２の長辺Ｎの間隔をあけて作用片２を使って切目Ｋを入れる（図２（ロ）参照）。その後、隣り合う切目Ｋの間に積もっている雪の下側に、作用片２の長辺Ｎを正面に向けて出来るだけ深く差し入れた後、作用片２を手前に引き寄せると、雪の抵抗を受けた作用片２の短辺Ｍの側が起き上がりストッパー４に当接して直立すると共に、その短辺Ｍの側が積もっている雪に引っ掛かり、切目Ｋ，Ｋ間にある軒先の雪をまとめてスムーズに地上に落下させることができる（図２（ハ）参照）。
【００１４】
尚、上から作用片２を深く差し入れる操作も屋根が傾斜しているため、さほど困難を感じることなく行うことができる。
軒先の雪の大半を取り除いた後、本雪下ろし具を使い作用片２を下向きにして垂下している短手側Ｍにより軒先の残雪を掻き出し、さらに取り除くこともできる。
【００１５】
このようにして軒先に積もった積雪を取り除いていけば、軒先の下を人が安全に通行でき、また軒先に掛かる雪の重みによる大きな負荷もなくなり、家屋の破損の懸念も少なくなる。
【００１６】
本雪下ろし具は、雪が積もった自動車の屋根や、信号機、庭木にも使用できる。
以下、自動車の屋根に積もった雪の除雪について、図３（イ）、（ロ）、（ハ）に基づき説明する。
まず、図３（イ）は自動車の屋根に積もった雪に本雪下ろし具を差し入れる際の概略説明図である。柄１の端部を両手で持ち、作用片２を積もった雪の上から差し入れることにより、作用片２全体が雪に埋没する（図３（ロ）参照）。その後、雪に埋没した作用片２を手前に引くと、雪の抵抗を受けた作用片２の短辺Ｍの側が起き上がりストッパー４に当接して直立すると共に、その短辺Ｍの側が積もっている雪に引っ掛かることで、自動車の屋根に積もった雪を落とすことができる（図３（ハ）参照）。
【００１７】
次に、信号機に積もった雪の除雪について、図４（イ）、（ロ）、（ハ）に基づき説明する。
まず、図４（イ）は、信号機の前面に垂れ下がった雪庇を落とす際の概略説明図である。柄１の端部を両手で持ち、作用片２が信号機の前面に沿って斜め前方に位置するようにし、信号機の前面からはみ出している雪庇を縦に立てた作用片２で切断しながら信号機の前面に沿って移動することで、切断された雪庇は信号機から地上に落下する（図４（イ）参照）。
次いで、信号機の上部に積もった雪に作用片２を引っ掛けて下側へ引き寄せると、雪の抵抗を受けた作用片２の短辺Ｍの側が起き上がりストッパー４に当接して直立し、その短辺Ｍの側が積もっている雪に引っ掛かることで雪を落とすことができる（図４（ロ）〜（ハ）参照）。
【００１８】
さらに、庭木に積もった雪の除雪について、図５（イ）、（ロ）、（ハ）に基づき説明する。
まず、図５（イ）は、庭木に積もった雪に本雪下ろし具を上から近づけ、作用片２を雪に差し入れようとする際の概略説明図である。次いで、柄１の端部を両手で持ち、作用片２を落としたい雪塊へと差し入れる（図５（イ）〜（ロ）参照）。その後、作用片２を手前に引くと、雪の抵抗を受けた作用片２の短辺Ｍの側が起き上がりストッパー４に当接して直立し、その短辺Ｍの側が積もっている雪に引っ掛かることで、作用片２に引っ掛かった雪塊も手前に引っ張られるため、庭木から雪塊を落とすことができる（図５（ハ）参照）。
この時、本雪下ろし具は落としたい雪塊に差し入れるだけでなく、周囲の枝を突いて揺らすこともでき、揺らした枝で雪を振り落とすことも可能である。
【００１９】
尚、図６は作用片２の一方の先部分にブラシ５を着脱自在に取り付けたもので、このようにしておけば、吹雪などで交通標識に雪が付着した場合にこのブラシ５で交通標識の雪を除去できる。
【符号の説明】
【００２０】
１  柄
２  作用片
３  蝶番（連結部材）
４  ストッパー
Ｎ  作用片の長辺（作用片の長手側）
Ｍ  作用片の短辺（作用片の短手側）
【図１】
2019157610.tif 000003
【図２】
2019157610.tif 000004
【図３】
2019157610.tif 000005
【図４】
2019157610.tif 000006
【図５】
2019157610.tif 000007
【図６】
2019157610.tif 000008
【図７】
2019157610.tif 000009